(57)【特許請求の範囲】
【請求項１】
載置台に積み重ねられた多数枚のプラスチック製シート類を供給位置に取り出すシート類の供給装置において、載置台の前記シート類の側辺から上下移動可能な左右一対のアームを延設し、該左右一対のアームを前記シート類から離れる方向に常時上向きに付勢して配設するとともに、前記左右一対のアームそれぞれの端部に左右内方を向く突出部を連設し、該突出部にレバー部の左右を嵌合させて両アームに対して着脱自在に取付け、シート類を左右に横切る方向にレバー部を設けるとともに、該レバー部の下面に前記シート類の最上位のシート上面と離間して対向する粘着体を取付けたことを特徴としてなるシート類の供給装置。
【請求項２】
レバー部には、その裏面に前記シート類の最上位のシート上面と離間して対向する粘着体を有する係合部材を着脱自在に取付けたことを特徴としてなる請求項１に記載のシート類の供給装置。
【請求項３】
載置台を上方が開口する箱状に形成するとともに、載置台のシート類の底部と対向する垂直板に上向きに開口する取出口を切設した請求項１または２に記載のシート類の供給装置。
【請求項４】
粘着体のシートに当接される面を、腕曲状に突出するように形成した請求項１〜３のいずれかに記載のシート類の供給装置。
【発明の詳細な説明】
【０００１】
【発明の属する技術分野】
本発明は、各種スーパーマーケットで使用される包装袋等のプラスチック製シート類を１枚づつ供給位置に取り出すシート類の供給装置に関する。
【０００２】
【従来の技術】
スーパーマーケット等では、顧客が購入した商品を持ち帰るために、薄手のプラスチック製シート類の包装袋を使用している。この包装袋は、通常は勘定カウンターの近くに積み重ねてあり、キャッシャーの店員が支払いを済ませた顧客に必要枚数を渡し、顧客が購入した商品とともに包装台に運んで自身で包装するか、キャッシャーの店員が取り出した包装袋に商品を包装して顧客に渡している。
【０００３】
包装袋は、素材のプラスチック製シートが静電気を帯びていたり、貯蔵中に重みで互いが密着していたりするため、最上部のシートを取上げたとき、下部のシートが一緒に持上がってしまうため、１枚づつの取り出しが困難であった。
【０００４】
この問題を解決するものとして、特開昭５５−１３４０２５号公報に記載の包装袋の供給を自動化したものが知られている。この装置での包装袋の搬出は、積み重ねた包装袋の最上部を、一対のピックアップ用摩擦ローラで巻込み挾持して、送り出すものであった。
【０００５】
【発明が解決しようとする課題】
しかしながら、この装置においては、１枚づつ確実に取り出すために一対以上の摩擦ローラを相互逆方向に回転させて、袋の片面にしわ寄せを行い、出来たしわ部分を挟み込むようにしたものであったため、装置が複雑になり、摩擦ローラに巻込まれた包装袋が傷みやすいばかりか、挾持された包装袋を取り出すのも困難で、取外す際に破れ易いなどの問題があった。
【０００６】
本発明は、これらの問題点に着目されたもので、包装袋等のプラスチック製シート類を１枚づつ確実に供給位置に送り出し、供給位置でのシート類類の取外しが容易で、構造が簡単で安価なシート類の供給装置を提供することを目的としている。
【０００７】
【課題を解決するための手段】
上記目的を達成するために、本発明のシート類の供給装置は、載置台に積み重ねられた多数枚のプラスチック製シート類を供給位置に取り出すシート類の供給装置において、載置台の前記シート類の左右側辺から上下移動可能な左右一対のアームを延設し、該左右一対のアームを前記シート類から離れる方向に常時上向きに付勢して配設するとともに、前記左右一対のアームそれぞれの端部に左右内方を向く突出部を連設し、該突出部にレバー部の左右を嵌合させて、シート類を左右に横切る方向に、レバー部を両アームに対して着脱自在に取付け、該レバー部の下面に前記シート類の最上位のシート上面と離間して対向する粘着体を取付けたことを特徴としている。
この特徴によると、アームの端部に連結されたレバー部を下方へ押し下げると、レバー部の下面に係着された粘着体が最上位のシート類の上面と当接し、貼着される。レバー部から手を離し、レバー部が上向き付勢力により上方に持上がると、最上位のシート類のみが、その下位に積み重ねられた多数枚のシート類から剥離され、１枚のシート類の確実な供給が可能となるとともに、レバー部が両アームに対して着脱自在に取付けられていることで、部品点数を増やすことなく、レバー部のアーム端部への着脱を容易に行うことができる。
【０００９】
本発明のシート類の供給装置は、レバー部には、その裏面に前記シート類の最上位のシート上面と離間して対向する粘着体を有する係合部材を着脱自在に取付けることが好ましい。
この特徴によると、粘着体が劣化した場合に、係合部材をレバー部から外して係合部材全体を交換するか、あるいは係合部材下面に取付けた粘着体を新しいものに取り替えた後、係合部材をレバー部に固定するだけで粘着体の交換が容易に行える。
【００１０】
本発明のシート類の供給装置は、載置台を上方が開口する箱状に形成するとともに、載置台のシート類の底部と対向する垂直板に上向きに開口する取出口を切設することが好ましい。
このようにすることにより、積み重ねられた多数枚のプラスチック製シート類が箱状の中に収まって載置台上からずれることがなく、また、プラスチック製シート類の積み重ね枚数が少なくなった場合でも、レバー部の押し下げ操作時、またはシート類の取り出し時にもシート類の底部と対向する垂直板が邪魔になることがない。
【００１１】
本発明のシート類の供給装置は、粘着体のシートに当接される面を、腕曲状に突出するように形成することが好ましい。
このようにすることにより、プラスチック製シート類の積み重ね枚数が少なくなり、アームの傾きが大きくなった場合でも、粘着体の腕曲した面をもってシート上面に確実に貼着できることになる。
【００１２】
【発明の実施の形態】
以下、本発明の実施例を図面に基づいて説明していくと、まず図１には本発明の実施例のシート類の供給装置が示されており、１は上方が開放する箱状の載置台であり、該載置台１はシート２とほぼ同じ大きさに形成された底板１ａと、該底板１ａ上に積載されるシート２の上下・左右側方をそれぞれ囲む垂直板１ｂとで形成されている。そして該載置台１内に載置されるシート２の底部２ａ方向に位置する垂直板１ｂには切欠き部３が形成されており、また前記シート２の左右側の垂直板１ｂ、１ｂ内面にはそれぞれ支持部材４、４が固着されている。
【００１３】
前記支持部材４、４より垂直板１ｂとの間に形成された差込口（特に図示せず）には、その基端部５ａを介してネジバネ５が取付けられている。該ネジバネ５は、積載されたシート２の左右両側部に沿うようにアーム６が延設されており、さらにその先端にはそれぞれ内向きに屈曲されて、レバー部７を取付けるための取付部８が形成されている。
【００１４】
前記レバー部７は、主にプラスチック樹脂等により形成されたものであり、特に図２に示されるように左右両側部には前記アーム６の先端の取付部８が嵌装可能な差込口９、９が形成されている。そしてレバー部７の裏面には腕曲状の押圧片１０が形成されており、該押圧片１０の裏面には適宜粘着性を有する粘着体１１がその片面の適宜接着材１１により固着されている。なお、押圧片１０はレバー部７に対して弾性屈曲可能に形成されている。
【００１５】
この供給装置にレバー部７をセットするには、まずその両端の差込口９、９にアーム６の取付部８、８を差込んでから、ネジバネ５、５の基端部５ａをそれぞれ支接部材４により形成された差込口に差込めばよい（図１参照）。
【００１６】
次にこのように構成されたシート類の供給装置の操作方法及び作用を図３、４を用いて説明すると、まず、図３に示されるように通常アーム６は積載されたシート２の上面に対して略水平位置を保つように常時ネジバネ５により付勢されている。
【００１７】
そして使用者が積載されたシート２から最上位のシート２’を１枚取り出す場合、レバー部７の押圧片１０に固着された粘着体１１の下面が前記最上位のシート２の上面に当接されるまでレバー部７を押圧する。そしてレバー部７より手を離すと、アーム６がネジバネ５により上向きに力が働き、レバー部７は自動的に前記水平位置にまで戻される。
【００１８】
この時、粘着体１１の面がシート２の上面に貼り付き、最上位のシート２’は、この貼り付き力がその下部のシート２同士の密着力より強いため、該下部のシート２より剥離され、レバー部７の復帰力により上方に持上げられる。こうして積層状のシート２より１枚のみ取り出された最上位のシート２’は、レバー部７で吊持されたような状態で保持されているため、使用者は容易に前記シート２’の底部２ａを掴んで取り出すことが出来る。
【００１９】
さらに、このようにシート２の取り出しを続け、特に図４に示されるように積み重ねられたシート２の残量が少なくなった場合でも、シート２の取出口としての底部２ａ方向の垂直板１ｂには切欠き部３が底板１ａ近傍まで形成されているため、使用者がレバー部７を下方に押圧する際に前記垂直板１ｂが邪魔になることがない。
【００２０】
また、押圧片１０が腕曲状に形成されていることにより、この腕曲面に沿う粘着体１１の面は、シート２の残量によるアームの傾きにかかわらず、常に腕曲した面をもってシート２の上面に当接されるため、シート２に確実に貼着され、強力に吊持することができる。さらに、押圧片１０がレバー部７に対して弾性的に腕曲可能となっているため、粘着体１１の面が広い範囲でシート２の上面に貼着され、強力に吊持することができる。
【００２１】
このように本発明実施例のシート類の供給装置にあっては、載置台１に積み重ねられたシート２より最上位のシートを１枚づつ、確実にかつ容易に供給位置に取り出すことが出来る。また、取り出す際にシート類には巻込み等の無理が働かないため、シート類が傷むことがない。さらに１枚のシート２は、底部２ａのみが粘着体１１に粘着されたまま保持されており、使用者は、保持されているシート２の底部２ａをつかんで簡単にシートの取り出しを行うことができる。この場合シートの保持力は粘着部分のみであるため、取外しに際してシート類が破れるようなことがない。また、装置は構造が簡単なため、製造コストを低減できる。
【００２２】
図５には、本発明の第２実施例が示されており、７は前述の実施例と同様に左右両端に差込口９を有するレバー部であり、１３は先端部に設けられた粘着体１１を前記レバー部７に取付けるための係合部材としてのクリップである。このように粘着体１１を有するクリップ１３をレバー部に着脱自在に取付けたことにより、粘着体１１の劣化に伴う交換作業をクリップ１３ごとに容易に行うことが出来る。また、レバー部７ごとに交換する必要がなくなり、メンテナンスコストを低減できる。
【００２３】
次に図６には本発明の第３実施例が示されている。本実施例における種々の構造については第１実施例と同様であるため、説明は省略するが、相違する点としてはレバー部７における左右の両粘着体１１、１１の間のシート２の取出口方向に切欠き部１４が形成され、前記取出口の反対側のレバー部７の上面に、押圧板１５が固設されている点である。
【００２４】
この実施例にあっては、図６に示されるように、切欠き部１４を設けられているため、使用者はシート２の山折り部を上下方向から容易に掴むことが可能になる。また、押圧板１５を設けることで、レバー部７の押圧面積を確保しておくことが出来る。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
例えば粘着体１１のレバー部７への取付方法は前述の実施例に限られるものではなく、接着材、係合部材等を用いずにレバー部７の下面に溝部を設け、粘着体１１の端部を前記溝部に挟んで着脱自在に取付けられるようにしてもよい。
【００２７】
また第３実施例において、レバー部７に切欠き部１４を設けたが、予めレバー部７を前記切欠き部１４と同様のスペースが形成されるように屈曲形成してもよい。
【００２８】
【発明の効果】
本発明によれば次のような効果が得られる。
【００２９】
（ａ）請求項１の発明によれば、アームの端部に連結されたレバー部を下方へ押し下げると、レバー部の下面に係着された粘着体が最上位のシート類の上面と当接し、貼着される。レバー部から手を離し、レバー部が上向き付勢力により上方に持上がると、最上位のシート類のみが、その下位に積み重ねられた多数枚のシート類から剥離され、１枚のシート類の確実な供給が可能となるとともに、レバー部が両アームに対して着脱自在に取付けられていることで、部品点数を増やすことなく、レバー部のアーム端部への着脱を容易に行うことができる。
【００３０】
（ｂ）請求項２の発明によれば、粘着体が劣化した場合に、係合部材をレバー部から外して係合部材全体を交換するか、あるいは係合部材下面に取付けた粘着体を新しいものに取り替えた後、係合部材をレバー部に固定するだけで粘着体の交換が容易に行える。
【００３１】
（ｃ）請求項３の発明によれば、積み重ねられた多数枚のプラスチック製シート類が箱状の中に収まって載置台上からずれることがなく、また、プラスチック製シート類の積み重ね枚数が少なくなった場合でも、レバー部の押し下げ操作時、またはシート類の取り出し時にもシート類の底部と対向する垂直板が邪魔になることがない。
【００３２】
（ｄ）請求項４の発明によれば、プラスチック製シート類の積み重ね枚数が少なくなり、アームの傾きが大きくなった場合でも、粘着体の腕曲した面をもってシート上面に確実に貼着できることになる。
【００３４】
【図面の簡単な説明】
【図１】本発明第１実施例のシート類の供給装置を表わす斜視図である。
【図２】レバー部の斜視図である。
【図３】図１に対応する作用を表わす図である。
【図４】図１に対応する作用を表わす図である。
【図５】本発明第２実施例を表わす斜視図である。
【図６】本発明第３実施例を表わす斜視図である。
【符号の説明】
１        載置台
１ａ      底板
１ｂ      垂直板
２        シート
２’      最上位のシート
２ａ      底部
３        切欠き部
４        支持部材
５        ネジバネ部
６        アーム
７        レバー部
８        取付部
９        差込口
１０        押圧片
１１        粘着体
１２        接着材
１３        クリップ
１４        切欠き部
１５        押圧板
【図１】
0003614959.tif 000002
【図２】
0003614959.tif 000003
【図３】
0003614959.tif 000004
【図４】
0003614959.tif 000005
【図５】
0003614959.tif 000006
【図６】
0003614959.tif 000007